(57)【特許請求の範囲】
【請求項１】
光源と、
前記光源から発せられた光を、カラー表示用の各原色光ごとに映像信号に基づいて変調する空間光変調素子と、
前記空間光変調素子により変調された各原色光をスクリーンに投射する投射手段と、
ユーザによる設定に応じて、前記スクリーン上の表示画面内の水平方向および垂直方向のうちの少なくとも一方向に沿って画像反転がなされるように、前記映像信号に対する画像反転処理を行う信号処理手段と、
前記スクリーン上に投射された各原色光間において位置ずれが生じた場合に、前記表示画面上の操作によって入力された補正値に応じてそのような位置ずれが低減されるように各原色光に対応する前記映像信号の補正を行い、補正後の映像信号を前記空間光変調素子へ供給する補正手段と
を備え、
前記スクリーン上の投射映像が反転表示されたものである場合には、そのような画像反転処理前の座標系における位置ずれ方向に対して逆極性の前記補正値が前記表示画面上の操作によって入力可能となるように、前記表示画面上において、補正方向の極性反転表示がなされるように構成されている
投射型表示装置。
【請求項２】
前記空間光変調素子が液晶素子であり、液晶プロジェクタとして構成されている
請求項１に記載の投射型表示装置。
【発明の詳細な説明】
【技術分野】
【０００１】
本発明は、液晶プロジェクタ等に適用される投射型表示装置に関する。
【背景技術】
【０００２】
空間光変調素子に印加する電気信号に従い、空間光変調素子への入射光を空間変調して出射し、出射光を集めて投影することで映像表示を行う投射型表示装置（例えば、液晶プロジェクタなど）が普及している。そうした投射型表示装置は、一般的に、光源としてランプと集光鏡とを有すると共に、それらから発せられた光を集光して空間光変調素子に入射させる照明光学系を備えており、空間光変調素子からの光を投影レンズによってスクリーンなどに投影するようになっている。
【０００３】
このような投射型表示装置のうち、赤色光（Ｒ）、緑色光（Ｇ）および青色光（Ｂ）の各三原色光を合成して投射を行うもの（いわゆる三板式の投射型表示装置）では、光学系の固着の精度等にばらつきが生じる場合があり、そのような場合にはスクリーン上に投射された表示映像において、各原色光間での位置ずれによって色ずれが発生してしまう問題があった。そこで、このような光学機構的な要因で発生する色ずれを低減するため、従来より、色ずれを電気的に補正するレジストレーション調整機能を設けるようにした投射型表示装置が提案されている（例えば、特許文献１）。
【０００４】
【特許文献１】特開平８−２０１９３７号公報
【発明の開示】
【発明が解決しようとする課題】
【０００５】
ところで、投射型表示装置では、例えば、ユーザがスクリーンの裏側から映像を見るようにして使用する場合や、装置を天井等に取り付けて使用する場合がある。そのようにして使用する場合、ユーザにとって正常な向きで映像が見えるように、映像を左右（水平方向）や上下（垂直方向）に反転して投影させるようになっている（画像反転機能）。
【０００６】
ここで、このような画像反転機能を実行している場合においても、前述した各原色光間での位置ずれによる色ずれの方向は、色ずれがハードウェア上のものであることから、画像反転をする前と変わらない。したがって、ユーザが表示画面上の操作によってレジストレーション調整を行おうとすると、ユーザから見える調整方向と実際の調整方向とが水平方向や垂直方向に沿って逆となってしまい、レジストレーション調整がしにくいという問題があった。
【０００７】
本発明はかかる問題点に鑑みてなされたもので、その目的は、装置の使用状況によらず、レジストレーション調整の際の操作性を向上させることが可能な投射型表示装置を提供することにある。
【課題を解決するための手段】
【０００８】
本発明の投射型表示装置は、光源と、この光源から発せられた光をカラー表示用の各原色光ごとに映像信号に基づいて変調する空間光変調素子と、この空間光変調素子により変調された各原色光をスクリーンに投射する投射手段と、信号処理手段と、補正手段とを備えたものである。ここで、上記信号処理手段は、ユーザによる設定に応じて、スクリーン上の表示画面内の水平方向および垂直方向のうちの少なくとも一方向に沿って画像反転がなされるように、映像信号に対する画像反転処理を行うものである。また、上記補正手段は、スクリーン上に投射された各原色光間において位置ずれが生じた場合に、表示画面上の操作によって入力された補正値に応じてそのような位置ずれが低減されるように各原色光に対応する映像信号の補正を行い、補正後の映像信号を空間光変調素子へ供給するものである。また、上記スクリーン上の投射映像が反転表示されたものである場合には、そのような画像反転処理前の座標系における位置ずれ方向に対して逆極性の補正値が表示画面上の操作によって入力可能となるように、表示画面上において補正方向の極性反転表示がなされるように構成されている
【０００９】
本発明の投射型表示装置では、光源から発せられた光が各原色光ごとに映像信号に基づいて空間光変調素子により変調され、この変調された各原色光がスクリーンへ投射されることにより、映像信号に基づく映像表示がなされる。また、スクリーン上に投射された各原色光間において位置ずれが生じた場合には、表示画面上の操作によって入力された補正値に応じてそのような位置ずれが低減されるように各原色光に対応する映像信号の補正がなされ、補正後の映像信号が空間光変調素子へ供給される。これにより、各原色光間の位置ずれによる色ずれの発生が抑えられ、表示画質が向上する。また、ユーザによる設定に応じて、スクリーン上の表示画面内の水平方向および垂直方向のうちの少なくとも一方向に沿って画像反転がなされるように、映像信号に対する画像反転処理がなされる。これにより、装置の使用状況に応じたユーザからの設定によって、表示画面内で適切な画像反転がなされる。また、スクリーン上の投射映像が反転表示されたものである場合には、画像反転処理前の座標系における位置ずれ方向に対して逆極性の補正値が表示画面上の操作によって入力可能となるように、表示画面上において補正方向の極性反転表示がなされるため、表示画面内で画像反転がなされるような使用状況であっても、ユーザによる補正値の入力操作が容易となる。
【発明の効果】
【００１０】
本発明の投射型表示装置によれば、スクリーン上に投射された各原色光間において位置ずれが生じた場合には、表示画面上の操作によって入力された補正値に応じてそのような位置ずれが低減されるように各原色光に対応する映像信号の補正を行う（レジストレーション調整を行う）ようにしたので、各原色光間の位置ずれによる色ずれの発生を抑え、表示画質を向上させることができる。また、スクリーン上の表示画面内の水平方向および垂直方向のうちの少なくとも一方向に沿って画像反転がなされるように映像信号に対する画像反転処理を行うようにしたので、装置の使用状況に応じたユーザから設定によって、表示画面内で適切な画像反転を行うことができる。また、スクリーン上の投射映像が反転表示されたものである場合には、画像反転処理前の座標系における位置ずれ方向に対して逆極性の補正値が表示画面上の操作によって入力可能となるように、表示画面上において補正方向の極性反転表示がなされるようにしたので、表示画面内で画像反転がなされるような使用状況であっても、ユーザによる補正値の入力操作を容易とすることができる。よって、装置の使用状況によらず、レジストレーション調整の際の操作性を向上させることが可能となる。
【発明を実施するための最良の形態】
【００１１】
以下、本発明の実施の形態について、図面を参照して詳細に説明する。
【００１２】
図１は、本発明の一実施の形態に係る投射型表示装置（液晶プロジェクタ１）の全体構成を表したものである。この液晶プロジェクタ１は、外部から供給される入力映像信号Ｄinに基づいて映像表示を行うものであり、光源部１１と、ダイクロイックミラー１２１，１２２と、反射ミラー１３１，１３２，１３３と、光変調器１４と、ダイクロイックプリズム１５と、投射レンズ１６と、スクリーン１７と、入力映像信号Ｄinに基づいて光変調器１４の制御を行う制御部２とから構成されている。
【００１３】
光源１１は、カラー画像表示に必要とされる、赤色光（Ｒ）、青色光（Ｂ）および緑色光（Ｇ）の各原色光を含んだ白色光を発するものであり、例えばハロゲンランプ、メタルハライドランプまたはキセノンランプなどにより構成されている。
【００１４】
ダイクロイックミラー１２１は、光源１１から発せられた照射光Ｌ０のうち、赤色光Ｌｒおよび緑色光Ｌｇを透過させる一方、青色光Ｌｂを反射させることにより、赤色光Ｌｒおよび緑色光Ｌｇと青色光Ｌｂとを互いに分離して進行させるものである。また、ダイクロイックミラー１２２は、ダイクロイックミラー１２１を透過した赤色光Ｌｒおよび緑色光Ｌｇのうち、赤色光Ｌｒを透過させる一方、緑色光Ｌｇを反射させることにより、赤色光Ｌｒと緑色光Ｌｇとを互いに分離して進行させるものである。なお、このダイクロイックミラー１２２により反射された緑色光Ｌｇは、光変調器１４の方向へと進行するようになっている。
【００１５】
反射ミラー１３１は、ダイクロイックミラー１２１により反射された青色光Ｌｂを、光変調器１４の方向へと反射させるものである。反射ミラー１３２，１３３は、ダイクロイックミラー１２２により反射された赤色光Ｌｒを、光変調器１４の方向へと反射させるものである。
【００１６】
光変調器１４は、赤色光Ｌｒ、緑色光Ｌｇおよび青色光Ｌｂの各原色光に対応する３つの液晶素子１４Ｒ，１４Ｇ，１４Ｂを含んで構成されており、光源１１から発せられた照射光Ｌ０を、各原色光（赤色光Ｌｒ、緑色光Ｌｇおよび青色光Ｌｂ）ごとに、制御部２から供給される各色用の映像信号に基づいてそれぞれ変調するものである。
【００１７】
具体的には、液晶素子１４Ｒは、反射ミラー１３３とダイクロイックプリズム１５との間に配置されており、入射した赤色光Ｌｒを、制御部２から供給される赤色用の映像信号に基づいて変調するものである。また、液晶素子１４Ｇは、ダイクロイックミラー１２２とダイクロイックプリズム１５との間に配置されており、入射した緑色光Ｌｇを、制御部２から供給される緑色用の映像信号に基づいて変調するものである。また、液晶素子１４Ｂは、反射ミラー１３１とダイクロイックプリズム１５との間に配置されており、入射した青色光Ｌｂを、制御部２から供給される青色用の映像信号に基づいて変調するものである。これら液晶素子１４Ｒ，１４Ｇ，１４Ｂはそれぞれ、例えば、映像信号に基づく駆動電圧が印加される一対の基板間に液晶分子を含む液晶層が挟まれた構造となっている。
【００１８】
ダイクロイックプリズム１５は、液晶素子１４Ｒ，１４Ｇ，１４Ｂによりそれぞれ変調された赤色光Ｌｒ、緑色光Ｌｇおよび青色光Ｌｂを混合して混合光（表示光）Ｌoutとすると共に、この表示光Ｌoutを一の光路上（投射レンズ１６へと向かう光路上）へと進行させるものである。
【００１９】
投射レンズ１６は、ダイクロイックプリズム１５とスクリーン１７との間に配置されており、ダイクロイックプリズム１５により生成された表示光Ｌoutをスクリーン１７上へ投射させるためのレンズである。スクリーン１７は、液晶素子１４Ｒ，１４Ｇ，１４Ｂによりそれぞれ変調されて投射レンズ１６により投射された光（表示光Ｌout）が投射される部分である。
【００２０】
制御部２は、映像信号処理部２１と、レジストレーション調整部２２と、液晶素子駆動部２３とを有している。
【００２１】
映像信号処理部２１は、入力映像信号Ｄinに対し、映像信号の色温度を調整するホワイトバランス調整といわゆるガンマ補正とを施すことにより映像信号Ｄ１（調整前データＤ１）を生成する機能を有している。これにより、表示映像の画質が向上するような調整がなされるようになっている。また、この映像信号処理部２１は、ユーザによる設定に応じて、スクリーン１７上の表示画面内の水平方向（Ｈ方向）および垂直方向（Ｖ方向）のうちの少なくとも一方向に沿って画像反転がなされるように、入力映像信号Ｄinに対する画像反転処理を行う機能（画像反転機能）を有している。なお、このような映像信号処理部２１による画像反転処理の詳細については、後述する。
【００２２】
レジストレーション調整部２２は、スクリーン１７上に投射された各原色光Ｌｒ，Ｌｇ，Ｌｂ間で位置ずれが生じた場合に、ユーザによる表示画面上の操作によって入力された調整値（補正値）に応じて、そのような位置ずれが低減されるように各原色光Ｌｒ，Ｌｇ，Ｌｂに対応する各色用の映像信号Ｄ１（調整前データＤ１）の補正を行い（レジストレーション調整を行い）、調整後の各色用の映像信号Ｄ２（調整後データＤ２）を液晶素子駆動部２３へ供給するものである。なお、このレジストレーション調整部２２による調整処理の詳細については、後述する。
【００２３】
液晶素子駆動部２３は、レジストレーション調整部２２により供給される調整後データＤ２に基づいて、液晶素子１４Ｒ，１４Ｂ，１４Ｇをそれぞれ駆動するものである。
【００２４】
ここで、液晶素子１４Ｒ，１４Ｂ，１４Ｇが本発明における「空間光変調素子」の一具体例に対応し、投射レンズ１６が本発明における「投射手段」の一具体例に対応する。また、映像信号処理部２１が本発明における「信号処理手段」の一具体例に対応し、レジストレーション調整部２２が本発明における「補正手段」の一具体例に対応する。
【００２５】
次に、図１〜図１３を参照して、本実施の形態の液晶プロジェクタ１の動作について詳細に説明する。ここで、図２は、レジストレーション調整部２２による調整処理の一例を流れ図で表したものである。また、図３は、水平方向および垂直方向の画像反転が不要な場合の液晶プロジェクタ１の使用例を表したものであり、図４〜図８は、図３に示したような使用例における画像反転処理およびレジストレーション調整処理の一例について表したものである。また、図９は、水平方向の画像反転が必要な場合の液晶プロジェクタ１の使用例を表したものであり、図１０〜図１３は、図９に示したような使用例における画像反転処理およびレジストレーション調整処理の一例を、比較例（図１２）と比較しつつ表したものである。
【００２６】
この液晶プロジェクタ１では、図１に示したように、光源１１から発せられた照射光Ｌ０が、ダイクロイックミラー１２１によって赤色光Ｌｒおよび緑色光Ｌｇと青色光Ｌｂとに分離され、さらにダイクロイックミラー１２２によって、赤色光Ｌｒと緑色光Ｌｇとが分離される。分離された赤色光Ｌｒは、反射ミラー１３２，１３３を介して液晶素子１４Ｒへ入射し、分離された緑色光Ｌｇは、そのまま液晶素子１４Ｇへ入射し、分離された青色光Ｌｂは、反射ミラー１３１を介して液晶素子１４Ｂへ入射する。これら各原色光Ｌｒ，Ｌｇ，青色光Ｌｂはそれぞれ、液晶素子１４Ｒ，１４Ｇ，１４Ｂにおいて、制御部２から供給される各色用の映像信号に基づいて変調される。そして変調された各原色光Ｌｒ，Ｌｇ，青色光Ｌｂはダイクロイックプリズム１５により混合された表示光Ｌoutとなり、この表示光Ｌoutが投射レンズ１６によってスクリーン１７上に投射されることにより、入力映像信号Ｄinに基づく映像表示がなされる。
【００２７】
ここで、制御部２では、まず、映像信号処理部２１において、入力映像信号Ｄinに対してホワイトバランス調整やガンマ補正が施されることにより、映像信号Ｄ１が生成される。そしてレジストレーション調整部２２では、映像信号処理部２１から供給される映像信号Ｄ１（調整前データＤ１）に対し、例えば図２に示したようにしてユーザから入力される補正値に応じて映像信号の補正（レジストレーション調整）がなされ、補正後の映像信号Ｄ２（調整後データＤ２）が液晶素子駆動部２３へ供給される。
【００２８】
ここで、例えば図３に示したように、プロジェクタ本体部１０からスクリーン１７上に投射された映像（表示画面３Ｃ）を、ユーザ５が、スクリーン１７に対してプロジェクタ本体部１０と同一の側から見るような使用状況の場合には、ユーザ５はそのままでも正常な向きの映像を見ることができるため、映像信号処理部２１による画像反転処理を行う必要がない。したがって、このような使用状況の場合には、ユーザ５によって、例えば図４に示したように、表示画面３Ｃ上の調整用メニュー画面３２において、水平方向（Ｈ方向）および垂直方向（Ｖ方向）の画像反転機能を「オフ」にするような操作入力がなされ、以下説明するようにしてレジストレーション調整が行われる。具体的には、例えば図５に示した表示画面３Ａのように、レジストレーション調整用の複数の調整ポイントＰが表示されている場合において、図中の符号Ｐ１付近で、例えば図６に示したような色ずれ（赤色光ライン４１Ｒ、緑色光ライン４１Ｇおよび青色光ライン４１Ｂのうちの青色光ライン４１Ｂが、水平方向（Ｈ方向）に例えば「−０．４ポイント（左方向に０．４ポイント）」分だけ位置ずれしていることによる色ずれ）が生じていた場合には、以下のようにしてレジストレーション調整がなされる。
【００２９】
すなわち、まず、例えば図７（Ａ）に示したような表示画面３Ｂ上の調整用メニュー画面３１において、ユーザによって調整対象となる色（この場合、青（Ｂ））が選択され（図２のステップＳ１０１）、同じく表示画面３Ｂ上において調整対象となる位置（ポイント）が選択され（この場合、符号Ｐ１付近の調整ポイントが選択ポイントＰ２として選択されている）（ステップＳ１０２）、調整用メニュー画面３１において、ユーザによって調整方向（水平方向（Ｈ方向）または垂直方向（Ｖ方向）；この場合、水平方向）および調整値（この場合、「＋０．４」ポイント（右方向へ０．４ポイント））が設定されると（ステップＳ１０３）、レジストレーション調整部２２では、このような選択・指定処理が完了したか否かが判断される（ステップＳ１０４）。ユーザにより、まだ完了していない旨の指示がなされた場合には（ステップＳ１０４：Ｎ）、ステップＳ１０１へと戻って再びステップＳ１０１〜Ｓ１０３の選択・指定処理を繰り返す。一方、ユーザにより、完了した旨の指示がなされた場合には（ステップＳ１０４：Ｙ）、次に、選択・指定された内容に基づいて実際のレジストレーション調整処理が行われ、ユーザによる表示画面上での調整効果確認処理がなされる（ステップＳ１０５）。そして全体の調整処理を終了するか否かの判断がレジストレーション調整部２２によりなされ（ステップＳ１０６）、ユーザによって全体調整処理をまだ終了しない旨の指示がなされた場合には（ステップＳ１０６：Ｎ）、ステップＳ１０１へと戻って再びステップＳ１０１〜Ｓ１０５の処理を繰り返す一方、例えば図８に示したように、青色光ライン４１Ｂの水平方向の位置ずれによる色ずれが低減（解消）された場合には、ユーザによって全体の調整処理を終了する旨の指示がなされ（ステップＳ１０６：Ｙ）、全体の調整処理が終了となる。
【００３０】
なお、このような画像反転処理が不要な場合における水平方向（Ｈ方向）のレジストレーション調整の際には、ユーザ５は、例えば図７（Ｂ）に示したような思考によって調整を行うと考えられる。すなわち、表示画面３Ｃ上でユーザから見える調整方向と、装置における実際の調整方向とが水平方向で一致しているため、レジストレーション調整の際の操作は容易となっている。
【００３１】
このようにしてレジストレーション調整部２２では、スクリーン１７上に投射された各原色光Ｌｒ，Ｌｇ，Ｌｂ間で位置ずれが生じた場合に、ユーザによって入力された調整値等に応じてそのような位置ずれが低減されるように各原色光Ｌｒ，Ｌｇ，Ｌｂに対応する各色用の映像信号Ｄ１の補正がなされ（レジストレーション調整が行われ）、補正後の映像信号Ｄ２が液晶素子１４Ｒ，１４Ｇ，１４Ｂへ供給される。これにより、各原色光Ｌｒ，Ｌｇ，Ｌｂ間の位置ずれによる色ずれの発生が抑えられ、表示画質が向上する。
【００３２】
一方、例えば図９に示したように、プロジェクタ本体部１０からスクリーン１７上に投射された映像（表示画面３Ｄ）を、ユーザ５が、スクリーン１７に対してプロジェクタ本体部１０と反対側から見るような使用状況の場合には、ユーザ５はそのままでは正常な向きの映像を見ることができない（水平方向に沿って逆向きの映像となる）ため、映像信号処理部２１による水平方向の画像反転処理を行う必要が生じる。したがって、このような使用状況の場合には、ユーザ５によって、例えば図１０に示したように、表示画面３Ｄ上の調整用メニュー画面３３において、水平方向（Ｈ方向）の画像反転機能を「オン」にするような操作入力がなされることになる。これにより、例えば図１１（Ａ）に示したような入力映像信号Ｄinが、例えば図１１（Ｂ）に示した映像信号Ｄ１１のように水平方向の画像反転処理がなされ、装置の使用状況に応じたユーザ５から設定によって、表示画面３Ｄ内で適切な画像反転がなされる（図９に示したように、ユーザ５が正常な向きの映像を見ることができるようになる）。そして上記した図３に示した使用状況の場合と同様にして、図２，図５〜図８に示したようなレジストレーション調整がなされる。
【００３３】
ただし、この場合には水平方向の画像反転処理を行っているため、ユーザ５が表示画面３Ｄ上の操作によってレジストレーション調整を行おうとすると、そのままでは例えば図１２に示した比較例のように、ユーザ５から見える調整方向と装置における実際の調整方向とが水平方向に沿って逆となってしまい、レジストレーション調整がしにくくなる。これは、画像反転処理を実行している場合においても、各原色光Ｌｒ，Ｌｇ，Ｌｂ間での位置ずれによる色ずれの方向は、色ずれがハードウェア上のものであることから、画像反転をする前と変わらないためである。
【００３４】
したがって、本実施の形態の液晶プロジェクタ１では、例えば図１３（Ａ）に示した表示画面３Ｅ上の調整用メニュー画面３４のように、このような画像反転処理がなされている場合には、画像反転処理前の水平方向（Ｈ方向）の座標系における位置ずれ方向に対して逆極性の調整値（この場合、「−」の調整値）が、表示画面３Ｅ上の操作によって入力可能となっている。これにより、例えば図１３（Ｂ）に示したように、表示画面３Ｅ上でユーザから見える調整方向と、装置における実際の調整方向とが水平方向で一致することになるため、表示画面内で画像反転がなされるような使用状況（この場合、水平方向の画像反転がなされる使用状況）であっても、レジストレーション調整の際に、ユーザ５による調整値の入力操作が容易となる。
【００３５】
以上のように本実施の形態では、スクリーン１７上に投射された各原色光Ｌｒ，Ｌｇ，Ｌｂ間において表示画面内の水平方向および垂直方向の少なくとも一方向に沿って位置ずれが生じた場合には、ユーザによる表示画面上の操作によって入力された調整値等に応じてそのような位置ずれが低減されるように各原色光Ｌｒ，Ｌｇ，Ｌｂに対応する各色用の映像信号Ｄ１の補正を行う（レジストレーション調整を行う）ようにしたので、各原色光Ｌｒ，Ｌｇ，Ｌｂ間の位置ずれによる色ずれの発生を抑え、表示画質を向上させることができる。また、スクリーン１７上の表示画面内の水平方向および垂直方向のうちの少なくとも一方向に沿って画像反転がなされるように入力映像信号Ｄinに対する画像反転処理を行うようにしたので、装置の使用状況に応じたユーザから設定によって、表示画面内で適切な画像反転を行うことができる。また、このような画像反転処理がなされている場合には、画像反転処理前の水平方向（Ｈ方向）の座標系における位置ずれ方向に対して逆極性の調整値を表示画面上の操作によって入力可能としたので、表示画面内で画像反転がなされるような使用状況であっても、ユーザによる調整値の入力操作を容易とすることができる。よって、装置の使用状況によらず、レジストレーション調整の際の操作性を向上させることが可能となる。
【００３６】
以上、実施の形態を挙げて本発明を説明したが、本発明はこの実施の形態に限定されるものではなく、種々の変形が可能である。
【００３７】
例えば、上記実施の形態では、画像反転処理が必要となる使用状況の一例として、図９に示したように水平方向の画像反転処理が必要となる使用状況について説明したが、例えば図１４に示したように、プロジェクタ本体部１０を天井等に取り付けて使用すると共に、スクリーン１７上に投射された映像（表示画面３Ｆ）を、ユーザ５が、スクリーン１７に対してプロジェクタ本体部１０と同一の側から見るような使用状況の場合にも、本発明を適用することが可能である。具体的には、この場合にはユーザ５はそのままでは正常な向きの映像を見ることができない（垂直方向に沿って逆向きの映像となる）ため、映像信号処理部２１による垂直方向の画像反転処理を行う必要が生じる。したがって、このような使用状況の場合には、ユーザ５によって、例えば図１５（Ａ）に示したように、表示画面３Ｆ上の調整用メニュー画面３５において、垂直方向（Ｖ方向）の画像反転機能を「オン」にするような操作入力がなされることになる。これにより、例えば図１５（Ｂ）に示したような入力映像信号Ｄinが、例えば図１５（Ｃ）に示した映像信号Ｄ１２のように垂直方向の画像反転処理がなされ、装置の使用状況に応じたユーザ５から設定によって、表示画面３Ｄ内で適切な画像反転がなされる（ユーザ５が正常な向きの映像を見ることができるようになる）。そしてこの場合において例えば図１６（Ａ）に示したように、符号Ｐ１付近で垂直方向の色ずれ（赤色光ライン４２Ｒ、緑色光ライン４２Ｇおよび青色光ライン４２Ｂのうちの青色光ライン４２Ｂが、垂直方向に例えば「−０．４ポイント（下方向に０．４ポイント）」分だけ位置ずれしていることによる色ずれ）が生じていたときには、例えば図１７（Ａ）に示した表示画面３Ｇ上の調整用メニュー画面３６を用いてユーザが操作することにより、上記実施の形態と同様にしてレジストレーション調整がなされ、例えば図１６（Ｂ）に示したように、位置ずれによる色ずれを低減（解消）することができる。また、この場合も、図１７（Ａ）中の調整用メニュー画面３６に示したように、画像反転処理前の垂直方向（Ｖ方向）の座標系における位置ずれ方向に対して逆極性の調整値を表示画面３Ｇ上の操作によって入力可能としたので、表示画面３Ｇ上でユーザから見える調整方向と、装置における実際の調整方向とが垂直方向で一致することになる。したがって、表示画面内で画像反転がなされるような使用状況（この場合、垂直方向の画像反転がなされる使用状況）であっても、レジストレーション調整の際に、ユーザ５による調整値の入力操作を容易とすることができる。
【００３８】
また、例えば図１８に示したように、プロジェクタ本体部１０を天井等に取り付けて使用すると共に、スクリーン１７上に投射された映像（表示画面３Ｈ）を、ユーザ５が、スクリーン１７に対してプロジェクタ本体部１０と反対側から見るような使用状況の場合にも、本発明を適用することが可能である。具体的には、この場合にはユーザ５はそのままでは正常な向きの映像を見ることができない（水平方向および垂直方向に沿って逆向きの映像となる）ため、映像信号処理部２１による水平方向および垂直方向の画像反転処理を行う必要が生じる。したがって、このような使用状況の場合には、ユーザ５によって、例えば図１９（Ａ）に示したように、表示画面３Ｈ上の調整用メニュー画面３７において、水平方向（Ｈ方向）および垂直方向（Ｖ方向）の画像反転機能をいずれも「オン」にするような操作入力がなされることになる。これにより、例えば図１９（Ｂ）に示したような入力映像信号Ｄinが、例えば図１９（Ｃ）に示した映像信号Ｄ１３のように水平方向および垂直方向の画像反転処理がなされ、装置の使用状況に応じたユーザ５から設定によって、表示画面３Ｈ内で適切な画像反転がなされる（ユーザ５が正常な向きの映像を見ることができるようになる）。そしてこの場合において、表示画面３Ｈ内で水平方向や垂直方向の色ずれが生じていたときには、例えば図２０（Ａ）に示した表示画面３Ｉ上の調整用メニュー画面３８を用いてユーザが操作することにより、上記実施の形態と同様にしてレジストレーション調整がなされ、位置ずれによる色ずれを低減（解消）することができる。また、この場合も、図２０（Ａ）中の調整用メニュー画面３８に示したように、画像反転処理前の水平方向および垂直方向の座標系における位置ずれ方向に対して逆極性の調整値をそれぞれ表示画面３Ｉ上の操作によって入力可能としたので、表示画面３Ｉ上でユーザから見える調整方向と、装置における実際の調整方向とが水平方向および垂直方向で一致することになる。したがって、表示画面内で画像反転がなされるような使用状況（この場合、水平方向および垂直方向の画像反転がなされる使用状況）であっても、レジストレーション調整の際に、ユーザ５による調整値の入力操作を容易とすることができる。
【００３９】
また、上記実施の形態では、「−」方向の位置ずれを低減（解消）するためにレジストレーション調整を行った場合について説明したが、逆に、「＋」方向の位置ずれを低減（解消）するためにレジストレーション調整を行う場合についても、上記実施の形態と同様に行うことができ、同様の作用効果を得ることが可能である。
【００４０】
また、上記実施の形態では、図２に示したように、レジストレーション調整の際に、ユーザによって調整対象の色を選択したのちに調整対象の位置（調整ポイント）を選択する場合について説明したが、例えば逆に、調整対象の位置（調整ポイント）を選択したのちに調整対象の色を選択するようにしてもよい。
【００４１】
また、上記実施の形態では、いわゆる三板式の投射型表示装置（プロジェクタ）について説明したが、投射型表示装置の方式はこれには限られず、本発明は、スクリーン上に投射された各原色光間で位置ずれが発生する可能性があるのであれば、他の方式の投射型表示装置にも適用することが可能である。
【００４２】
さらに、上記実施の形態では、空間光変調素子が液晶素子（液晶素子１４Ｒ，１４Ｇ，１４Ｂ）であり、液晶表示装置（液晶プロジェクタ１）として構成されている場合について説明したが、他の空間光変調素子として、例えば、ＤＭＤ（Digital Micromirror Device）素子を用いるようにしてもよい。
【図面の簡単な説明】
【００４３】
【図１】本発明の一実施の形態に係る投射型表示装置の構成を表すブロック図である。
【図２】レジストレーション調整部による調整処理の一例を表す流れ図である。
【図３】水平方向および垂直方向の画像反転が不要な場合の投射型表示装置の使用例を表す斜視図である。
【図４】図３の場合における画像反転機能の設定例を表す図である。
【図５】レジストレーション調整を行う前の表示画面の一例を表す図である。
【図６】特定の原色光に水平方向の位置ずれが生じている場合の表示画面例を拡大して表す図である。
【図７】水平方向のレジストレーション調整の際の表示画面および調整思考の一例を表す図である。
【図８】図６に示した表示画面例においてレジストレーション調整を行った後の表示画面を拡大して表す図である。
【図９】水平方向の画像反転が必要な場合の投射型表示装置の使用例を表す斜視図である。
【図１０】図９の場合における画像反転機能の設定例を表す図である。
【図１１】図９の場合における画像反転について説明するための図である。
【図１２】図９の場合において比較例に係る調整思考の一例を表す図である。
【図１３】図９の場合において実施の形態に係るレジストレーション調整の際の表示画面および調整思考の一例を表す図である。
【図１４】垂直方向の画像反転が必要な場合の投射型表示装置の使用例を表す斜視図である。
【図１５】図１４の場合における画像反転機能の設定例および画像反転について説明するための図である。
【図１６】特定の原色光の垂直方向の位置ずれに対するレジストレーション調整について説明するための図である。
【図１７】図１４の場合において実施の形態に係るレジストレーション調整の際の表示画面および調整思考の一例を表す図である。
【図１８】水平方向および垂直方向の画像反転が必要な場合の投射型表示装置の使用例を表す斜視図である。
【図１９】図１８の場合における画像反転機能の設定例および画像反転について説明するための図である。
【図２０】図１８の場合において実施の形態に係るレジストレーション調整の際の表示画面および調整思考の一例を表す図である。
【符号の説明】
【００４４】
１…液晶プロジェクタ、１０…プロジェクタ本体部、１１…光源、１２１，１２２…ダイクロイックミラー、１３１，１３２，１３３…反射ミラー、１４…光変調器、１４Ｒ，１４Ｇ，１４Ｂ…液晶素子、１５…ダイクロイックプリズム、１６…投影レンズ、１７…スクリーン、２…制御部、２１…映像信号処理部、２２…レジストレーション調整部、２３…液晶素子駆動部、３Ａ〜３Ｉ…表示画面、３１〜３８…調整用メニュー画面、４１Ｒ，４２Ｒ…赤色光ライン、４１Ｇ，４２Ｇ…緑色光ライン、４１Ｂ，４２Ｂ…青色光ライン、５…ユーザ、Ｄin…入力映像信号、Ｄ１…映像信号（調整前データ）、Ｄ１１〜Ｄ１３…映像信号（画像反転データ）、Ｄ２…映像信号（調整後データ）、Ｌ０…光源からの射出光（照射光）、Ｌｒ…赤色光、Ｌｇ…緑色光、Ｌｂ…青色光、Ｌout…混合光（表示光）、Ｐ…調整ポイント、Ｐ２…選択ポイント。
【図１】
0004363469.tif 000002
【図２】
0004363469.tif 000003
【図３】
0004363469.tif 000004
【図４】
0004363469.tif 000005
【図５】
0004363469.tif 000006
【図６】
0004363469.tif 000007
【図７】
0004363469.tif 000008
【図８】
0004363469.tif 000009
【図９】
0004363469.tif 000010
【図１０】
0004363469.tif 000011
【図１１】
0004363469.tif 000012
【図１２】
0004363469.tif 000013
【図１３】
0004363469.tif 000014
【図１４】
0004363469.tif 000015
【図１５】
0004363469.tif 000016
【図１６】
0004363469.tif 000017
【図１７】
0004363469.tif 000018
【図１８】
0004363469.tif 000019
【図１９】
0004363469.tif 000020
【図２０】
0004363469.tif 000021